(57)【特許請求の範囲】
【請求項１】
電線を計尺する計尺装置と、該計尺装置で計尺した電線の所定位置にマークを付けるマーク付与装置と、マーク付与装置で付されたマークを検出するマーク検出装置と、該マーク検出装置で検出した信号に基づいて所定長さだけリング取付けを行わないリング取付け装置とを備えてなる難着雪電線の製造装置。
【発明の詳細な説明】
【０００１】
【発明の属する技術分野】
本発明は、過大な着雪を防止した難着雪電線の製造装置に関するものである。
【０００２】
【従来の技術】
電線への着雪を防ぐために、電線の外周長手方向に一定間隔を開けてリングを取付けてなる難着雪電線が知られている。
この難着雪電線は、電線の上面側に積もった雪が下面側に回り込むのをリングで阻止することによって電線に過大な着雪が生じるのを防止するものである。
【０００３】
既設の電線を難着雪電線にするには、既設の電線の外周長手方向に一定間隔を開けてプラスチック等で制作したリングを順次取付けている。一方、新設の電線を難着雪電線とするには、予め工場で電線の外周長手方向に一定間隔を開けて樹脂をモールド成形してリングを形成している。
【０００４】
【発明が解決しようとする課題】
ところで、鉄塔間に架設した難着雪電線に着雪があると、該着雪の重さで難着雪電線自体が回転してしまい、あたかも着雪が難着雪電線の外周を回転したのと同じ状態になり難着雪電線に過大が着雪が生じてしまうという問題があった。
【０００５】
そこで、鉄塔間に架設した難着雪電線に付属品である捻じれ防止ダンパーを取付けて難着雪電線自体の回転を防止することが行われている。
捻じれ防止ダンパーは、難着雪電線を把持する把持部と該把持部の下部に取付けられた錘部とから構成されおり、前記把持部で難着雪電線を把持することにより難着雪電線に取付けるものである。
【０００６】
従来、捻じれ防止ダンパーを難着雪電線に取付ける際、該捻じれ防止ダンパーの取付け位置にリングが存在している場合には、これらを除去した後に捻じれ防止ダンパーを取付けることが行われている。
【０００７】
しかし、特に新設の難着雪電線に取付けてあるリングの除去作業は、非常に面倒であり長時間を要するという問題があった。すなわち、新設の難着雪電線のリングは、該難着雪電線を延線する際に動かないようにプラスチック等の樹脂をモールド形成したものであるのでその除去が困難であり、また除去作業は宙乗り機に乗った作業者が空中で行うので除去作業に長時間を要するものである。
【０００８】
なお、難着雪電線に取付ける付属品としては、捻じれ防止ダンパーの他に振動防止ダンパーやスペーサ、引留めクランプ等が存在するが、これらを取付ける際も同様にリング状の突起が邪魔になる際には除去しなければならなず、該リング状の突起の除去が面倒であるという問題が生じるものである。
【０００９】
【課題を解決するための手段】
本発明は上記問題を解決するためになされたもので、新設の難着雪電線を製造する際に、捻れ防止ダンパー等の付属品を取付ける位置にはリングを取付けないようにした難着雪電線の製造装置を提供するものである。
【００１１】
本発明に係る難着雪電線の製造装置は、電線を計尺する計尺装置と、該計尺装置で計尺した電線の所定位置にマークを付けるマーク付与装置と、マーク付与装置で付されたマークを検出するマーク検出装置と、該マーク検出装置で検出した信号に基づいて所定長さだけリングの取付けを行わないリング取付け装置とを備えてなることを特徴とするものである。
【００１３】
本発明に係る難着雪電線の製造装置は、計尺装置で電線を計尺することによって捻じれ防止ダンパー等の付属品の取付け位置を特定することができ、またマーク付与装置とマーク検出装置を使用することによって、付属品の取付け位置を容易に検出することができ、更にマーク検出装置で検出した信号に基づいて所定長さだけリング取付けを行わないリング取付け装置を使用することにより、付属品の取付け位置にリングが取付けられていない難着雪電線を容易に製造することができる。
【００１４】
【発明の実施の形態】
以下、本発明を図を参照して詳細に説明する。
図１は本発明に係る難着雪電線の製造装置の概略構成図であり、１は電線、２は計尺装置、３はマーク付与装置、４はマーク検出装置、５はリング取付け装置、６はリング、７はドラムである。
【００１５】
電線１は計尺装置２によって長さが計尺されながらドラム７に巻き取られている。電線１のリングを取付けない位置は予め分かっているので、電線１を計尺し、リングを取付けない位置に対応する位置になったら、電線１の外周にマーク付与装置３でマークを付す。マークとしては、赤外線発生塗料のような特殊塗料によるマークや磁気によるマーク等がある。次に該マーク付与装置３で付したマークをマーク検出装置４で検出する。マークが赤外線発生塗料であればマーク検出装置４としては赤外線検出装置が、またマークが磁気であればマーク検出装置４としては磁気検出装置が使用される。該マーク検出装置４で検出した信号はリング取付け装置５に送られる。マーク検出装置４から信号を受けたリング取付け装置５は、所定長さだけリング取付けを行わない。
【００１６】
リング取付け装置５は、先端側に３個直列にリング形成部５１が形成されている。このリング形成部５１は２つ割りになっており、電線１を把持した後にリング形成部５１内に溶融した樹脂が供給され、該溶融した樹脂がある程度固まるまで電線１を把持したままの状態で電線１と共に進行し、溶融した樹脂がある程度固まった後は、リング形成部５１の２つ割り部が開いて、元の位置まで復帰し、再度電線１を把持して樹脂を供給するものである。実施の形態においては、上記のようなリング取付け装置５を２組使用して交互に電線１を把持してリングを取付けるようになっている。
【００１７】
本発明においては、マーク検出装置４で検出した信号がリング取付け装置５に送られると、２組のリング取付け装置５の内の一方のリング取付け装置５には、リング形成部５１で電線１を把持した際に樹脂を供給せず、樹脂の供給がないリング形成部５１を電線１を把持した状態で電線１と共に進行させ、その後に元の位置まで復帰させる。これによって、図２に示すように、一方のリング取付け装置５の長さ分に相当する長さだけリング６が形成されない難着雪電線を得ることができる。リング６を取付けない長さは自由に調整するものであり、例えば２組のリング取付け装置５の両方に樹脂を供給しなければ２組のリング取付け装置５の長さ分だけリング６が形成されない難着雪電線を得ることができ、また一方のリング取付け装置５の３個のリング形成部５１の内の１個または２個のみに樹脂を供給しなければその長さ分だけリング６が形成されない難着雪電線を得ることができる。
【００１８】
なお本発明で使用するリング取付け装置５は実施の形態のものに限定されるものではなく、マーク検出装置４から信号を受けた際に、所定長さだけリング取付けを行わない構造であればよい。
【００２０】
【発明の効果】
本発明にかかる難着雪電線の製造装置は、電線を計尺する計尺装置と、該計尺装置で計尺した電線の所定位置にマークを付けるマーク付与装置と、マーク付与装置で付されたマークを検出するマーク検出装置と、該マーク検出装置で検出した信号に基づいて所定長さだけリング取付けを行わないリング取付け装置とを備えてなることを特徴とするものである。したがって、付属品の取付け位置にリングが取付けられていない難着雪電線を容易に製造することができる。
【図面の簡単な説明】
【図１】本発明に係る難着雪電線の製造装置の概略構成図
【図２】本発明によって得られた難着雪電線の正面図。
【符号の説明】
１            電線
２            計尺装置
３            マーク付与装置
４            マーク検出装置
５            リング取付け装置
６            リング
【図１】
0003604281.tif 000002
【図２】
0003604281.tif 000003